(57)【特許請求の範囲】
【請求項１】
第１のウェブロールから繰り出されるウェブの終端部に、第２のウェブロールにおけるウェブの始端部を継ぎ合わせるウェブ継ぎ装置において、
ウェブロールを直線移動可能に軸支するロール支持軸と、該ロール支持軸からウェブロールを受け取るロール回転受け軸と、ウェブロールからのウェブの繰り出しを補助駆動する巻き出し回転体とを備え、
前記ロール回転受け軸は、前記ロール支持軸の下方に配置された一対の回転軸又は多数の軸からなり、ウェブロールを外周から回転自在に支持するようになされており、
前記ロール支持軸は、ウェブロールが挿着された後、該ウェブロールからウェブが繰り出されるにつれて下方に向けて移動し、該ロール回転受け軸に該ウェブロールを受け渡し、該ウェブロールが該ロール回転受け軸に支持された状態で該ウェブロールから抜き外された後、元の位置に戻り、再び第２のウェブロールが挿着された状態で待機するようになされており、
前記巻き出し回転体は、前記ロール支持軸に軸支されたウェブロールの外周面に該巻き出し回転体の駆動面が当接するようになされており、第１のウェブロールにおけるウェブの終端部が該駆動面上を案内されている間に、前記ロール支持軸に挿着され待機している前記第２のウェブロールに向かって移動して、該第１のウェブロールにおけるウェブの内面の終端部に該第２のウェブロールにおけるウェブの外面の始端部を重ね合わせて、それらを継ぎ合わせるようになされているウェブ継ぎ装置。
【請求項２】
前記ロール回転受け軸は、一対の回転軸からなりウェブロールを外周から回転駆動するようになされ、該ウェブロールからのウェブの繰り出しを補助するようになされている請求項１に記載のウェブ継ぎ装置。
【請求項３】
前記ロール回転受け軸に支持されたウェブロールからウェブが繰り出され残った該ウェブロールの巻芯部を、取り出すようになされている請求項１又は２に記載のウェブ継ぎ装置。
【請求項４】
前記ロール回転受け軸に支持されたウェブロールから繰り出されるウェブを押圧して、該ウェブを前記巻き出し回転体の駆動面に密着させるウェブ押圧機構を備えている請求項１〜３の何れかに記載のウェブ継ぎ装置。
【請求項５】
前記ロール支持軸は、ウェブロールからのウェブの繰り出しを補助駆動するようになされている請求項１〜４の何れかに記載のウェブ継ぎ装置。
【請求項６】
継ぎ合わされた後、前記巻き出しベルトから導出されたウェブを、ウェブの滞留量を増減させることによりウェブの次工程への供給速度を調整するアキュームレータを介して次工程へ供給するようになしてある請求項１〜５の何れかに記載のウェブ継ぎ装置。
【発明の詳細な説明】
【０００１】
【発明の属する技術分野】
本発明は、所定の製造ラインに無端帯状のウェブを連続的に供給するために、第１のウェブロールから繰り出されるウェブの終端部に、第２のウェブロールにおけるウェブの始端部を継ぎ合わせるウェブ継ぎ装置に関する。
【０００２】
【従来の技術及び発明が解決しようとする課題】
従来より、所定の製造ラインに、紙、不織布等の無端帯状のウェブを連続的に供給するために、ロール状態のウェブを連続的に継ぎ合わせるウェブ継ぎ装置が用いられている。
【０００３】
従来のウェブ継ぎ装置においては、装置内に少なくとも２個のウェブロールを設置し、第１のウェブロールから繰り出されるウェブの終端部に、第２のウェブロールにおけるウェブの始端部を継ぎ合わせているため、自ずとウェブロールを軸支するロール装着支持軸を少なくとも２軸設け、それぞれにウェブロールを装着する必要がある。尚、以下、本明細書において、「第１のウェブロール」とは、先に繰り出されるウェブロールをいい、「第２のウェブロール」とは、該「第１のウェブロール」に継ぎ合わせるための、後から繰り出されるウェブロールをいう。
【０００４】
このように、従来のウェブ継ぎ装置においては、ロール装着支持軸を少なくとも２軸設ける必要があり、装置全体の大きさが大きくなってしまうと共に、ウェブロール原反を２軸に装着するため、操作が煩雑であった。
【０００５】
従って、本発明の目的は、装置全体の大きさをコンパクトにできると共に、ウェブロール原反の供給操作が簡易なウェブ継ぎ装置を提供することにある。
【０００６】
【課題を解決するための手段】
本発明は、第１のウェブロールから繰り出されるウェブの終端部に、第２のウェブロールにおけるウェブの始端部を継ぎ合わせるウェブ継ぎ装置において、ウェブロールを直線移動可能に軸支するロール支持軸と、該ロール支持軸からウェブロールを受け取るロール回転受け軸と、ウェブロールからのウェブの繰り出しを補助駆動する巻き出し回転体とを備え、前記ロール回転受け軸は、前記ロール支持軸の下方に配置された一対の回転軸又は多数の軸からなり、ウェブロールを外周から回転自在に支持するようになされており、前記ロール支持軸は、ウェブロールが挿着された後、該ウェブロールからウェブが繰り出されるにつれて下方に向けて移動し、該ロール回転受け軸に該ウェブロールを受け渡し、該ウェブロールが該ロール回転受け軸に支持された状態で該ウェブロールから抜き外された後、元の位置に戻り、再び第２のウェブロールが挿着された状態で待機するようになされており、前記巻き出し回転体は、前記ロール支持軸に軸支されたウェブロールの外周面に該巻き出し回転体の駆動面が当接するようになされており、第１のウェブロールにおけるウェブの終端部が該駆動面上を案内されている間に、前記ロール支持軸に挿着され待機している前記第２のウェブロールに向かって移動して、該第１のウェブロールにおけるウェブの内面の終端部に該第２のウェブロールにおけるウェブの外面の始端部を重ね合わせて、それらを継ぎ合わせるようになされているウェブ継ぎ装置を提供することにより、前記の目的を達成するものである。
【０００７】
【発明の実施の形態】
以下、本発明のウェブ継ぎ装置の一実施形態について、図面を参照しながら説明する。
本実施形態のウェブ継ぎ装置１は、図１〜図６に示すように、第１のウェブロール２Ａから繰り出されるウェブ３Ａの終端部に、第２のウェブロール２Ｂにおけるウェブ３Ｂの始端部を継ぎ合わせるウェブ継ぎ装置である。
本実施形態のウェブ継ぎ装置１においては、ウェブロール２Ａ（２Ｂ）を直線移動可能に軸支するロール支持軸４と、該ロール支持軸４からウェブロール２Ａ（２Ｂ）を受け取るロール回転受け軸５と、ウェブロール２Ａ（２Ｂ）からのウェブ３Ａ（３Ｂ）の繰り出しを補助駆動し且つ該ウェブ３Ａ（３Ｂ）を次工程へ案内するベルトコンベア状の巻き出しベルト（巻き出し回転体）７とを備えている。
【０００８】
前記ロール支持軸４は、第１のウェブロール２Ａが挿着された後、該ウェブロール２Ａからウェブ３Ａが繰り出されるにつれて前記ロール回転受け軸５まで移動し、該ロール回転受け軸５に該ウェブロール２Ａを受け渡し該ウェブロール２Ａから抜き外された後、元の位置に戻り、再び第２のウェブロール２Ｂが挿着された状態で該ロール回転受け軸５の上方で待機するようになされている。
また、前記巻き出しベルト７は、前記ロール支持軸４に軸支されたウェブロール２Ａ（２Ｂ）の外周面に該巻き出しベルト７のベルト面（駆動面）が当接するようになされており、第１のウェブロール２Ａの外周面から該巻き出しベルト７のベルト面が離れた後、該第１のウェブロール２Ａにおけるウェブ３Ａの終端部が該ベルト面上を案内されている間に、前記ロール支持軸４に挿着され待機している前記第２のウェブロール２Ｂに向かって移動して、該第１のウェブロール２Ａにおけるウェブ３Ａの内面の終端部に該第２のウェブロール２Ｂにおけるウェブ３Ｂの外面の始端部を重ね合わせて、それらを継ぎ合わせるようになされている。
【０００９】
本実施形態のウェブ継ぎ装置１について更に詳述すると、図１に示すように、前記ロール支持軸４、ロール回転受け軸５及び巻き出しベルト７は、枠材が３次元に配されて形成された枠体（具体的な形態は図示せず）１１に設けられており、前記ロール支持軸４の下方に前記ロール回転受け軸５が配置され、該ロール支持軸４の側方（図１において左側）に前記巻き出しベルト７が配置されている。ロール支持軸４、ロール回転受け軸５の回転軸５１、５２及び巻き出しベルト７のコンベアロール７１Ａ、７１Ｂ（後述）は、それぞれ、その軸方向が水平方向に並列して、図１において図面を貫く方向に配置されている。
【００１０】
ロール支持軸４は、図１〜図４に示すように、ウェブロール２Ａ（２Ｂ）の巻芯部２１Ａ（２１Ｂ）を挿着できるようになされたものであり、挿着された該ウェブロール２Ａ（２Ｂ）を軸中心に回転（従動）可能になされ、該ウェブロール２Ａ（２Ｂ）が繰り出されるにつれて下降し、該ウェブロール２Ａ（２Ｂ）が前記ロール回転受け軸５に支持された状態で該ウェブロール２Ａ（２Ｂ）を抜き外すように軸方向に（図１において図面を貫く方向奥に向かって）移動し、その後上昇し、軸方向に（図１において図面を貫く方向手前に向かって）移動して元の位置に戻るようになされている。
【００１１】
ロール回転受け軸５は、図１に示すように、並列した一対の回転軸５１、５２からなりウェブロール２Ａ（２Ｂ）を外周から回転自在に支持するもので、一方の回転軸５１は図３及び図８に示す矢視方向に駆動する駆動軸であり、他方の回転軸５２は従動軸で、一方の回転軸５１から横方向に可動となっている。また、回転軸（駆動軸）５１及び回転軸（従動軸）５２は、図７及び図８に示すように、それぞれ軸部５１Ａ、５２Ａの軸方向の両端部に、軸径方向に円板状に延出した延出部５１Ｂ、５２Ｂが設けられている。延出部５１Ｂ、５１Ｂ間及び延出部５２Ｂ、５２Ｂ間の間隔は、図７に示すように、ウェブロール２Ａの幅より若干広くなっている。
【００１２】
ロール回転受け軸５の側方（図１において右側）には、図１及び図８に示すように、略コ字状のウェブ押圧機構８が設けられている。
ウェブ押圧機構８は、図１及び図８に示すように、平行に配置された一対の押圧機構アーム８２、８２の一端部に、従動可能な押圧機構ロール８１が設けられており、また、ウェブ押圧機構８は、図３、図４及び図８に示すように、支点８３を回動支点として、ロール回転受け軸５とそれに支持されたウェブロール２Ａを跨ぐように回動するようになされている
【００１３】
巻き出しベルト７は、図１及び図９に示すように、直線状のコンベア基部７３と、その両端に設けられた一対の駆動ロールからなるコンベアロール７１Ａ、７１Ｂと、該コンベアロール７１Ａ、７１Ｂに巻回された無端状のコンベアベルト７２とからなっている。
また、巻き出しベルト７は、図１〜図３に示すように、下方のコンベアロール７１Ｂを支点として回動可能になされている。
尚、ロール回転受け軸５の駆動軸５１及び巻き出しベルト７のコンベアロール７１Ａ、７１Ｂは、１個のサーボモータ（図示せず）により、同時に駆動されるようになされている。
【００１４】
また、巻き出しベルト７は、ロール支持軸４の下降に伴い、下方のコンベアロール７１Ｂを回転支点として、該ロール支持軸４に軸支されたウェブロール２Ａの外周面に向けて傾斜し、該ウェブロール２Ａの外周面にコンベアベルト７２のベルト面が接触するようになされており、ロール支持軸４が更に下降すると、回動を停止した後、反対方向に回動して、図４に示す位置（図１に示す位置より更にロール支持軸４から離れた位置）に戻るようになされている。
更に、巻き出しベルト７は、図５及び図６に示すように、ウェブロール２Ａから繰り出されたウェブ３Ａの終端部が巻き出しベルト７のベルト面上に案内され、該終端部を検知する終端部センサー（図示せず）により、該終端部が該ベルト面上に案内されたことが検知されると、コンベアロール７１Ａ及び７１Ｂの回転駆動が停止すると共に、下方のコンベアロール７１Ｂを支点としてロール支持軸４に軸支された第２のウェブロール２Ｂに向けて回動するようになされている。
【００１５】
枠体１１の側方（図１において左側）には、図１に示すように、ウェブの滞留量を増減させることによりウェブの製造ラインへの供給速度を調整するアキュームレータ９が設けられている。
アキュームレータ９は、図１、図５及び図６に示すように、対向する一対のアキュームユニット９１Ａ、９１Ｂを備えており、各アキュームユニット９１Ａ、９１Ｂには、それぞれ３個のアキュームロール９２Ａ、９２Ｂが等間隔をおいて設けられており、また、下方のアキュームユニット９１Ｂが上方のアキュームユニット９１Ａに接近又は離反する方向に移動可能になされている。
即ち、アキュームレータ９は、一対のアキュームユニット９１Ａ、９１Ｂの間隔を変更することにより、該アキュームレータ９に滞留されるウェブの量を増減させることができるようになされている。
【００１６】
ロール支持軸４の軸方向の手前（図１において図面を貫く方向手前）には、該ロール支持軸４が上方に配置した状態において、該ロール支持軸４にウェブロールを自動的に挿着するロール挿着装置（図示せず）が設けられている。
【００１７】
枠体１１において、ウェブ３Ａがアキュームレータ９に向かって導出される位置には、図１に示すように、上方から下方に向かうウェブ３Ａを上方に向けて転回させる従動ロールからなる固定ロール１２が設けられている。
【００１８】
次に、上述した如く構成された本実施形態のウェブ継ぎ装置１によるウェブの継ぎ合わせ動作について、図面を参照して、ウェブの繰り出しの流れに従って説明する。
本実施形態のウェブ継ぎ装置１においては、図１に示すように、先ず、前記ロール挿着装置（図示せず）により、第１のウェブロール２Ａがロール支持軸４に挿着された後、第１のウェブロール２Ａから繰り出されるウェブ３Ａは、巻き出しベルト７のコンベアベルト７２のベルト面上を当接し、上方のコンベアロール７１Ａにおいて下方に転回し、固定ロール１２において再び上方に向けて転回し、枠体１１から導出されるように掛け渡されている。更に、ウェブ３Ａは、アキュームレータ９に導入され、上方のアキュームユニット９１Ａのアキュームロール９２Ａ及び下方のアキュームユニット９１Ｂのアキュームロール９２Ｂに交互に掛け渡され、アキュームレータ９から導出されるように掛け渡されている。
【００１９】
このように掛け渡されたウェブ３Ａは、製造ライン（図示せず）に設けられたウェブ引取り装置（図示せず）により引き取られて、アキュームレータ９から導出され、該製造ラインに供給される。このとき、巻き出しベルト７は、コンベアロール７１Ａ、７１Ｂが駆動することにより、ウェブロール２Ａからのウェブ３Ａの繰り出しを補助している。
【００２０】
第１のウェブロール２Ａからウェブ３Ａの繰り出しが続くと、図２に示すように、該ウェブロール２Ａの径の大きさが徐々に小さくなるが、それに伴って、ロール支持軸４及び該ロール支持軸４に軸支された該ウェブロール２Ａが徐々に下方に向けて移動すると共に、巻き出しベルト７はコンベアベルト７２のベルト面が第１のウェブロール２Ａの外周面に接触するように、下方のコンベアロール７１Ｂを支点にして傾斜する。
【００２１】
第１のウェブロール２Ａがロール回転受け軸５の駆動軸５１及び従動軸５２の上に載置されて支持されるまで、ロール支持軸４は下降すると共に、巻き出しベルト７は第１のウェブロール２Ａに追従して傾斜する。このように、巻き出しベルト７は、第１のウェブロール２Ａがロール回転受け軸５に載置されるまで該ウェブロール２Ａの抑えになっている。
その後、第１のウェブロール２Ａがロール回転受け軸５に確実に受け渡されると、図３に示すように、巻き出しベルト７は、下方のコンベアベルト７１Ｂを支点として該ウェブロール２Ａから離れる方向に回動する。
続けて、ロール支持軸４は、図３に示すように、枠体１１に向けて、即ち図３において図面を貫く方向奥に向けて移動して、第１のウェブロール２Ａから抜き出された後、上昇し元の位置に戻る。このとき、ウェブロール２Ａはロール回転受け軸５における駆動軸５１の延出部５１Ｂ及び従動軸５２の延出部５２Ｂ（図７参照）に引っ掛かり、ロール支持軸４がウェブロール２Ａから容易に抜き外される。
【００２２】
ロール回転受け軸５に支持された第１のウェブロール２Ａは、そのまましばらくウェブが繰り出されるが、ウェブロールの径が小さくなってくると、バタツキを防止するために、ウェブ押圧機構８が、図３及び図８に示すように、支点８３を支点としてロール回転受け軸５及び該ロール回転受け軸５に支持された第１のウェブロール２Ａを跨ぐように回動して第１のウェブロール２Ａの抑えを行う。
【００２３】
図４に示すように、巻き出しベルト７は、枠体１１の側端（図１に示す位置より更に左寄り）まで回動し、また、ウェブ押圧機構８は、押圧アーム８２が水平に近く配置するまで回動する。
その結果、第１のウェブロール２Ａから繰り出されるウェブ３Ａは、ウェブ押圧機構８により下方に押圧され、巻き出しベルト７のコンベアベルト７２のベルト面にウェブ３Ａが確実に密着すると共に、後述するように第２のウェブロール２Ｂが挿着されるスペースが確実に確保される。
尚、ロール支持軸４が移動してロール回転受け軸５にウェブロールを受け渡すまでの時間、ウェブ押圧機構８の回動のタイミング等は、ウェブロールの巻き径の大きさから、計算、判断しており、また、ウェブ押圧機構８によるウェブ３Ａの押圧力は、第１のウェブロール２Ａがロール回転受け軸５から浮き上がらない大きさとなっている。
【００２４】
その後、図４に示すように、ロール支持軸４が上方（図１の状態と同じ位置）に移動して元の位置に戻り、前記ロール挿着装置（図示せず）により第２のウェブロール２Ｂが該ロール支持軸４に挿着される。尚、この状態において、第２のウェブロール２Ｂは、巻き出しベルト７、第１のウェブロール２Ａ及びウェブ押圧機構８の何れにも接することはない。
【００２５】
ここで、第２のウェブロール２Ｂにおけるウェブ３Ｂの外面の始端部には、図４及び図９に示すように、該始端部と第１のウェブロール２Ａにおけるウェブ３Ａの内面の終端部とを接合する接合手段として両面テープ６が貼り付けられている。
この両面テープ６は、巻き出しベルト７のコンベアベルト７２のベルト面に対向する位置に配置されている。
【００２６】
図５に示すように、ロール回転受け軸５に支持された第１のウェブロール２Ａからウェブ３Ａが全部繰り出されると、従動軸５２が駆動軸５１から離間する方向に横にスライドして、第１のウェブロール２Ａの巻芯部２１Ａを落下、排出し、また、ウェブ３Ａの終端部が巻き出しベルト７のベルト面上に案内される。
【００２７】
そして、ウェブ３Ａの終端部が巻き出しベルト７における前記両面テープ６と対向する位置に配置すると、前記終端部センサーがそれを検知し、巻き出しベルト７の駆動が停止すると共に、アキュームレータ９においては、下方のアキュームユニット９１Ｂが上方のアキュームユニット９１Ａに向けて移動する。このようにアキュームユニット９１Ｂを移動させてアキュームレータ９におけるウェブ３Ａの滞留量を減少させることにより、アキュームレータ９から製造ラインに向けて供給されるウェブ３Ａの供給速度を保持しつつ、巻き出しベルト７のコンベアベルト７２のベルト面上においてウェブ３Ａを停止させることができる。
【００２８】
ウェブ３Ａが巻き出しベルト７のコンベアベルト７２のベルト面上で停止した状態で、図６及び図９に示すように、巻き出しベルト７が、下方のコンベアロール７１Ｂを支点として、ロール支持軸４に軸支された第２のウェブロール２Ｂに向けて回動すると、第１のウェブロール２Ａにおけるウェブ３Ａの内面の終端部と、第２のウェブロール２Ｂにおけるウェブ３Ｂの外面の始端部とが両面テープ６により継ぎ合わされる。
【００２９】
ウェブが継ぎ合わされた後、再び巻き出しベルト７の駆動が始まり、第２のウェブロール２Ｂからウェブ３Ｂが繰り出されると共に、アキュームレータ９においては、該アキュームレータ９からのウェブの製造ラインへの供給速度を保ちながら、アキュームユニット９１Ｂは、下方に移動し、元の位置（下方）に戻る。
また、ウェブ押圧機構８は、支点８３を回動支点として回動し、元の位置（図１における右端部）に戻る。
このようにして、本実施形態のウェブ継ぎ装置１は、図１に示す状態に戻り、ウェブの継ぎ合わせの１サイクルが完成する。そして、この継ぎ合わせのサイクルが繰り返されることにより、製造ラインに無端帯状のウェブを連続的に供給することができる。
【００３０】
このように、本発明の実施形態のウェブ継ぎ装置１によれば、ウェブロールを軸支するロール支持軸４を２軸設ける必要がなく１軸で足り、コンパクトにできると共に、原反の供給が常に一定箇所で行われるので、ウェブロール原反の供給操作が簡易である。
【００３１】
本発明のウェブ継ぎ装置に用いられるウェブとしては、種々のものを使用することができるが、例えば、吸収性物品の親水性シート、防水性シート、紙、不織布、包装材用のウェブを使用することができる。
【００３２】
以上、本発明のウェブ継ぎ装置の好ましい実施形態について説明したが、本発明のウェブ継ぎ装置は、前述した実施形態に制限されることなく、本発明の趣旨を逸脱しない限り適宜変更が可能である。
【００３３】
例えば、ロール回転受け軸として、ベアリングのような多数の細い軸を円弧状に並べたものを用いることができる。
巻き出し回転体として、回転ロール状のものを用いることもできる。
ロール支持軸が、ウェブロールからのウェブの繰り出しを補助駆動するようになされていたり、巻き出し回転体の表面から裏面に向けて吸引（バキューム）力が働くようになされていると、ウェブの繰り出しが一層スムーズになり更に好ましい。
【００３４】
ロール支持軸にウェブロールを挿着する装置として、前記ロール挿着装置を用いず、ロール支持軸自身が移動し、所定位置に載置されたウェブロールの巻芯部にロール支持軸が挿入するような構成とすることもできる。
第１のウェブロールにおけるウェブの終端部と第２のウェブロールにおけるウェブの始端部との継ぎ合わせには、接着剤、粘着剤を用いたり、熱融着処理を行うこともできる。
前記実施形態においては、ロール支持軸が第１のウェブロールから抜き外され上昇した後に、第２のウェブロールがロール支持軸に挿着されるように構成されているが、これに限らず、ロール支持軸が第１のウェブロールから抜き外された後上昇する前に、第２のウェブロールがロール支持軸に挿着されるように構成することができる。
ウェブを継ぎ合わせる際には、第１のウェブロールにおけるウェブの移動を止めず、該ウェブを低速あるいは高速で移動させながら、継ぎ合わせをしてもよい。ウェブロールあるいはウェブの位置を定位置に規制するガイドを設けることが好ましい。
【００３５】
【発明の効果】
本発明のウェブ継ぎ装置によれば、装置全体の大きさをコンパクトにできると共に、ウェブロール原反の供給操作が簡易である。
【図面の簡単な説明】
【図１】本発明のウェブ継ぎ装置の一実施形態において、ウェブロールからウェブが繰り出され始めて間もない状態を示す模式的正面図である。
【図２】本発明のウェブ継ぎ装置の一実施形態において、ウェブロールからウェブが相当量繰り出された状態を示す模式的正面図である。
【図３】本発明のウェブ継ぎ装置の一実施形態において、ウェブロールからロール支持軸が抜き外された状態を示す模式的斜視図である。
【図４】本発明のウェブ継ぎ装置の一実施形態において、ロール支持軸に第２のウェブロールが挿着された状態を示す模式的正面図である。
【図５】本発明のウェブ継ぎ装置の一実施形態において、ウェブロールが継ぎ合わされようとしている状態を示す模式的正面図である。
【図６】本発明のウェブ継ぎ装置の一実施形態において、ウェブロールが継ぎ合わされて間もない状態を示す模式的正面図である。
【図７】本発明のウェブ継ぎ装置の一実施形態において、ウェブロールがロール回転受け軸に支持されている状態を示す模式的平面図である。
【図８】図３に示す状態におけるロール回転受け軸周辺の部分拡大斜視図である。
【図９】図５に示す状態における巻き出しベルトのベルト面と第２のウェブロールのウェブの始端部周辺を示す部分拡大図である。
【符号の説明】
１  ウェブ継ぎ装置
１１  枠体
１２  固定ロール
２Ａ、２Ｂ  ウェブロール
２１Ａ、２１Ｂ  巻芯部
３Ａ、３Ｂ  ウェブ
４  ロール支持軸
５  ロール回転受け軸
５１  駆動軸
５２  従動軸
６  接合手段（両面テープ）
７  巻き出し回転体（巻き出しベルト）
７１Ａ、７１Ｂ  コンベアロール
７２  コンベアベルト
８  ウェブ押圧機構
８１  押圧機構ロール
８２  押圧機構アーム
８３  支点
９  アキュームレータ
９１Ａ、９１Ｂ  アキュームユニット
９２Ａ、９２Ｂ  アキュームロール
【図１】
0003722717.tif 000002
【図２】
0003722717.tif 000003
【図３】
0003722717.tif 000004
【図４】
0003722717.tif 000005
【図５】
0003722717.tif 000006
【図６】
0003722717.tif 000007
【図７】
0003722717.tif 000008
【図８】
0003722717.tif 000009
【図９】
0003722717.tif 000010